(57)【要約】【課題】  パレット上への荷物の積載、取出作業を迅速容易に行えながら、地震時などの横揺れを受けたとき、荷物が荷崩れする時期を通常の場合よりも遅らせる。【解決手段】  パレットにおける荷崩れ防止具１０として、スラスト玉軸受１１を中心部に固設した上方が開口する有底円筒体１２と、スラスト玉軸受１１のボール１１ａ上に載置されると共に有底円筒体１２の小径側壁１２ａに対し一定間隔をおいて相対向するように下方に延びる大径側壁１３ａをもつ蓋体１３を備える一方、蓋体１３の大径側壁１３ａと有底円筒体１２の小径側壁１２ａとの間に、常時は大径側壁１３ａと小径側壁１２ａとの間隔を一定間隔に保し、有底円筒体１２に所定以上の横荷重がかかったとき、ばね１６に抗して蓋体１３を有底円筒体１２に対し横方向に移動させる緩衝機構１４を介装した。【選択図】図５
2010241502.tif 000002
【特許請求の範囲】
【請求項１】
スラスト玉軸受を中心部に固設した上方が開口する有底円筒体と、スラスト玉軸受のボール上に載置されると共に有底円筒体の小径側壁に対し一定間隔をおいて相対向するように下方に延びる大径側壁をもつ蓋体を備える一方、蓋体の大径側壁と有底円筒体の小径側壁との間に、常時は大径側壁と小径側壁との間隔を一定間隔に保し、有底円筒体に所定以上の横荷重がかかったとき、弾性部材に抗して蓋体を有底円筒体に対し横方向に移動させる緩衝機構が複数個介装されていることを特徴とするパレットにおける荷崩れ防止具。
【請求項２】
緩衝機構が、蓋体の大径側壁に摺動可能に設けられる間隔保持杆と、該保持杆を常時は有底円筒体の小径側壁に当接するように付勢して大側径壁と小径側壁との間隔を一定間隔に保する複数のばねとからなり、有底円筒体に横方向へ所定以上の荷重がかかったとき、上記ばねを弾性的に圧縮して蓋体の横方向の移動を許すように構成されていることを特徴とする請求項１記載のパレットにおける荷崩れ防止具。
【請求項３】
まず、荷物を収容した段ボール箱の上面に剪断方向に対し強く、引張方向に対し弱い接着性を有する紙器スリップ防止接着剤を塗布してその段ボール箱をパレット上に積み上げ、上記接着剤の塗膜によりパレットの横揺れに対して段ボール箱のスリップを抑えながら、パレットから個々の段ボール箱を持ち上げて荷降しする際に接着塗布箇所を破損することなく接着部分が剥がせるように接着する一方、次に、パレットラックのパレット支持部材上に大きさと高さの異なる複数以上の突起を上下面に多数配列した縦揺れ防止用の防振ゴムを設置し、さらに、上記防振ゴム側とパレットとの間に、常時は防振ゴム側とパレットとを一体的に保持しかつ上記接着剤による接着荷重より少し低めの横荷重が防振ゴム側からかかったとき、パレットを防振ゴム側に対し緩衝機構に抗して横方向に移動させ、横荷重が接着剤の接着荷重を越えた場合にも横荷重を弾性的に緩衝しながら受け止めて、荷物に接着剤の接着荷重以上の横荷重がかかるのを抑えて荷崩れを阻止する荷崩れ防止具を設けていることを特徴とするパレットにおける荷崩れ防止方法。
【発明の詳細な説明】
【技術分野】
【０００１】  本発明は主として自動ラックに使用されるパレットにおける荷崩れ防止具及び荷崩れ防止方法に関する。
【背景技術】
【０００２】  近年、土地の有効利用として、製品を収容した段ボール箱をパレット上に多数積み上げ、このパレットを自動昇降装置により高層のパレットラックに自動的に積み上げて保管する自動ラックが普及してきている。【０００３】  例えば製品がボルトナットの場合、ボルトナットを品種別やサイズ別に分けたうえで２０〜３０ｋｇを段ボール箱に収容して、これをパレット上に４０個程度積み上げ、このパレットを自動ラックにより高層のパレットラックに品種別、サイズ別に積み上げて管理し、注文に応じて所望するパレットをパレットラックから取り出し、パレットから段ボール箱を必要個数を降ろした後、再びパレットを元のパレットラックに戻して保管するようにしている。
【発明の開示】
【発明が解決しようとする課題】
【０００４】  ところで、上記したパレットラックのパレット収容枚数は、数十枚〜数千枚あり、縦の段数も十段以上になっている。また、パレットラックの骨組みは、地震荷重も計算された鉄骨構造になっているが、各パレット上に載置された製品入りの段ボール箱は、例えば一面十個で５段積みされたような状態のまま、パレットラックにおけるパレット置きアームの上にパレットを介して載置されている。そのため、地震が来た場合、パレットラックを介してパレットが大きく揺れると、パレット上に載置された段ボール箱は横ずれしてパレット、つまりパレットラックから落下して段ボール箱が破損することになる。そして、段ボール箱が破損すると段ボール箱から製品が飛び出して品種、サイズが交ざった状態になり出荷不能に陥ってしまう問題があった。【０００５】  なお、パレット上に載置された段ボール箱の横ずれを防止する手段として、パレット上に積載された荷物の外周全体を囲うように紐掛けしたり、網掛け或いはシート掛けすることにより、荷崩れを防止するようにしたものが知られているが、斯かる方法によれば、荷物を紐や網或いはシートで緊縛することにより固定するため、その固定作業が特別に必要であり、しかもその固定作業は非常に面倒で手間を要するものであった。その上、パレットから荷物を必要個数だけ降ろす際にも、紐や網或いはシートをその都度解いて取り出し、その後は再び緊縛したうえでパレットを元のパレットラックに戻すといった面倒な作業が必要となるものであった。【０００６】  そこで、本発明は、パレット上への荷物の積載作業や取出作業を迅速容易に行うことができながら、地震などにより横揺れを受けたとき、パレット上に積載された荷物が荷崩れする少し前の時点で荷物への横揺れを緩衝する緩衝手段を設けて、荷物が荷崩れする時期を通常の場合よりも効果的に遅らせることができるパレットにおける荷崩れ防止具及び荷崩れ防止方法の提供を課題とする。
【課題を解決するための手段】
【０００７】  上記した課題を解決するために、本願の請求項１記載の発明は、スラスト玉軸受を中心部に固設した上方が開口する有底円筒体と、スラスト玉軸受のボール上に載置されると共に有底円筒体の小径側壁に対し一定間隔をおいて相対向するように下方に延びる大径側壁をもつ蓋体を備える一方、蓋体の大径側壁と有底円筒体の小径側壁との間に、常時は大径側壁と小径側壁との間隔を一定間隔に保し、有底円筒体に所定以上の横荷重がかかったとき、弾性部材に抗して蓋体を有底円筒体に対し横方向に移動させる緩衝機構が複数個介装されていることを特徴とする。【０００８】  また、本願の請求項２記載の発明は、請求項１記載の緩衝機構が、蓋体の大径側壁に摺動可能に設けられる間隔保持杆と、該保持杆を常時は有底円筒体の小径側壁に当接するように付勢して大側径壁と小径側壁との間隔を一定間隔に保する複数のばねとからなり、有底円筒体に横方向へ所定以上の荷重がかかったとき、上記ばねを弾性的に圧縮して蓋体の横方向の移動を許すように構成されていることを特徴とする。【０００９】  さらに、本願の請求項３記載の発明は、パレットにおける荷崩れ防止方法として、まず、荷物を収容した段ボール箱の上面に剪断方向に対し強く、引張方向に対し弱い接着性を有する紙器スリップ防止接着剤を塗布してその段ボール箱をパレット上に積み上げ、上記接着剤の塗膜によりパレットの横揺れに対して段ボール箱のスリップを抑えながら、パレットから個々の段ボール箱を持ち上げて荷降しする際に接着塗布箇所を破損することなく接着部分が剥がせるように接着する一方、次に、パレットラックのパレット支持部材上に大きさと高さの異なる複数以上の突起を上下面に多数配列した縦揺れ防止用の防振ゴムを設置し、さらに、上記防振ゴム側とパレットとの間に、常時は防振ゴム側とパレットとを一体的に保持しかつ上記接着剤による接着荷重より少し低めの横荷重が防振ゴム側からかかったとき、パレットを防振ゴム側に対し緩衝機構に抗して横方向に移動させ、横荷重が接着剤の接着荷重を越えた場合にも横荷重を弾性的に緩衝しながら受け止めて、荷物に接着剤の接着荷重以上の横荷重がかかるのを抑えて荷崩れを阻止する荷崩れ防止具を設けていることを特徴とする。
【発明の効果】
【００１０】  本発明の荷崩れ防止具によれば、紐や網或いはシートを用いて緊縛することなくパレット上に荷物を積み上げるだけにしてその積載作業や取出作業を迅速容易に行えるようにしながら、地震などにより横揺れを受けたときには、パレット上に積載された荷物が通常荷崩れする少し前に、緩衝機構における弾性部材を圧縮して有底円筒体に対する蓋体の横方向の移動を許すようにし、この緩衝動作により、パレット上の荷物が荷崩れする時期を通常の場合よりも効果的に遅らせて荷崩れの防止を図ることができる。【００１１】  また、横揺れ緩衝機構として、蓋体の大径側壁に摺動可能に設けられる間隔保持杆と、該保持杆を常時は有底円筒体の小径側壁に当接するように付勢して大側径壁と小径側壁との間隔を一定間隔に保する複数のばねとからなり、有底円筒体に横方向へ所定以上の荷重がかかったとき、上記ばねを弾性的に圧縮して蓋体の横方向の移動を許すように構成すれば、ばねにより圧縮を始める時期とその後の圧縮動作の設定が正確かつ容易にできるのでこのましい。【００１２】  さらに、本願のパレットにおける荷崩れ防止方法によれば、地震が発生してパレットラックに縦揺れや横揺れ生じた場合、縦揺れについては、パレットラックのパレット支持部材と下板部材との間に介装される縦揺れ防止硬化ゴムの直径と高さの異なる複数以上の突起により、上下振動を吸収しして振動エネルギーを減衰することができ、また、横揺れについては、紙器スリップ防止接着剤の塗膜によるスリップ防止効果と、荷崩れ防止具による横揺れ緩衝作用との相乗効果により、全体として段ボール箱などの荷物のスリップをより一層効果的に抑えることができる。
【発明を実施するための最良の形態】
【００１３】  以下本発明の実施の形態を図面に基づいて説明する。【００１４】  図１は本発明に係るパレットにおける荷崩れ防止具を自動ラックに適用した正面図を示す。【００１５】  １は例えばボルトナットなどの製品を収容した段ボール箱（荷物）Ａを多数積み上げたパレット２を自動昇降装置の移動リフトにより自動的に積み上げて保管する自動ラック（図示せず）の高層パレットラックである。パレット２はパレットラック１におけるパレット置きアーム１ａ，１ａの上にそれぞれ載置され、注文に応じて自動昇降装置の移動リフトにより自動的に所望するパレット２をパレットラック１から取り出し、パレット２から段ボール箱Ａを必要個数を降ろした後、再びパレット２を元のパレットラック１の位置に戻して保管するようになされている。【００１６】  そして、パレット２上に段ボール箱Ａを積み上げる場合、段ボール箱Ａの上面に剪断方向に対し強く、引張方向に対し弱い接着性を有する例えばコロイダルシリカとＰＶＣ水溶液の混合液からなる紙器スリップ防止接着剤３を塗布したうえでパレット上に積み上げている。これにより、パレット２上に積み上げられた段ボール箱Ａは上記接着剤３の塗膜による接着荷重により地震などによるパレットの横揺れに対してスリップが通常の場合よりも抑えられ、それでいて上記接着剤３の接着荷重は、個々の段ボール箱Ａを持ち上げてパレット２から荷降しする際に段ボール箱Ａが破れることなく接着部分を剥がすことが可能な荷重に設定されている。なお、塗布方法としては、処理の規模用途に応じて自動塗布或いは手塗り塗布で行い、段ボール箱Ａの上面の４隅や全面などに適宜塗布を行えばよい。【００１７】  また、図１及び図２に示すように自動ラックにおけるパレットラック１のパレット置きアーム１ａ，１ａ上には、縦揺れを防止する縦揺れ防止硬化ゴム４が設置されている。硬化ゴム４は図３及び図４に示すように上下両面に例えば直径と高さの異なる４種類の突起４ａ〜４ｄが多数配列された構造となっている。この直径と高さの異なる４種類の突起により地震などにおける縦揺れに対し振動を吸収し、振動エネルギーを減衰するようになされている。【００１８】  一方、パレット２と硬化ゴム４との間にはパレット２とほぼ同じ大きさの下板部材５が備えられ、パレット２と下板部材５との間の四隅に、常時はパレット２と下板部材５とを横移動不能に保持し、かつ下板部材５に上記接着剤３による接着荷重より少し低めの横荷重がかかったときパレット２を下板部材５に対し弾性部材に抗してゆっくりと横方向に移動させ、横荷重が接着荷重を越えた場合にも横荷重を弾性的に緩衝しながら受け止めて、段ボール箱Ａに上記接着剤３の接着荷重以上の横荷重がかかるのを抑えて荷崩れを阻止する荷崩れ防止具１０…１０が設けられている。【００１９】  荷崩れ防止具１０としては、図５〜図７に示すようにスラスト玉軸受１１を中心部に内装した上方が開口する有底円筒体１２と、スラスト玉軸受１１のボール１１ａ…１１ａ上に載置される大径の蓋体１３を備える一方、蓋体１３の外周に、有底円筒体１２の小径側壁１２ａに対し一定間隔をおいて相対向するように下方に延びる大径側壁１３ａが設けられていると共に、大径側壁１３ａ���小径側壁１２ａとの間に横揺れに対する緩衝機構１４が設けられている。【００２０】  緩衝機構１４は、大径側壁１３ａにその中心に向かって摺動可能に設けられる複数の間隔保持杆１５と、該保持杆１５の先端頭部１５ａと大径側壁１３ａの内面との間に介装され、先端頭部１５ａを常時は小径側壁１２ａに当接するように付勢して大径側壁１３ａと小径側壁１２ａとの間隔を一定間隔に保持する複数のばね１６…１６とを備えている。各間隔保持扞１５…１５の基部１５ｂにはダブルナット１７…１７が設けられている。【００２１】  そして、有底円筒体１２に上記接着剤３による接着荷重より少し低めの横荷重がかかった時点でパレット２を下板部材５に対しばね１６…１６に抗して横方向に移動させ、さらに横荷重が上記接着剤３の接着荷重を越えた場合にも横荷重をばね１６…１６により弾性的に緩衝しながら受け止めて、段ボール箱Ａに上記接着剤３の接着荷重以上の横荷重がかかるのを抑えて荷崩れを阻止するようになされている。【００２２】  次に、上記した紙器スリップ防止接着剤３、縦揺れ防止硬化ゴム４及び荷崩れ防止具１０を用いて自動ラックにおける荷崩れの防止を行う場合の作用について説明する。【００２３】  まず、図１及び図２に示すように自動ラックにおけるパレットラック１のパレット置きアーム１ａ，１ａの上に、縦揺れを防止する縦揺れ防止硬化ゴム４…４を設置しておく。【００２４】  次に、ボルトナットなどの荷物を段ボール箱Ａに詰込み、この箱Ａを閉じた後、該箱Ａの上面にコロイダルシリカとＰＶＣ水溶液の混合液からなる紙器スリップ防止接着剤３を塗布する。【００２５】  一方、パレット２と下板部材５との間でその四隅に荷崩れ防止具１０…１０を介装し、これらパレット２と下板部材５を自動昇降装置の移動リフト上に載置する。そのうえで、パレット２上に上記接着剤３を塗布した段ボール箱Ａを積み上げる。そして、段ボール箱Ａを多数積み上げたパレット２を自動昇降装置の移動リフトにより自動的に所望のパレットラック１上に積み上げて保管する。つまり図１に示すように荷縦揺れ防止硬化ゴム４…４上に、下板部材５と荷崩れ防止具１０…１０とを介装した状態でパレット２を載置して保管するのである。【００２６】  斯くして、地震が発生してパレットラック１に縦揺れや横揺れ生じた場合、縦揺れについては、パレット置きアーム１ａ，１ａと下板部材５との間に介装される縦揺れ防止硬化ゴム４…４の直径と高さの異なる４種類の突起により、上下振動を吸収し、振動エネルギーを減衰することができ、また、横揺れについては、スリップ防止接着剤３の塗膜によるスリップ防止効果と、荷崩れ防止具１０…１０による横揺れ緩衝作用との相乗効果により、一層効果的に段ボール箱Ａのスリップを抑えることができる。【００２７】  以上の実施の形態では、自動ラックに適用した場合について説明したけれども、例えば背の低い収納ラック１′に荷積みしたパレット２′をフォークリフト（図示せず）で積み上げる場合において上記した荷崩れ防止具１０…１０を用いるようにしてもよい。【００２８】  その場合、例えば図８に示すように予め収納ラック１′の受板１ａ′におけるパレット載置箇所に合わせて４個の荷崩れ防止具１０���１０を載置しておき、そのうえで、紙器スリップ防止接着剤３を塗布した段ボール箱Ａを多数積み上げたパレット２をフォークリフトにより積み上げて保管すればよい。【００２９】  この場合にも、地震が発生して収納ラック１′に横揺れ生じた場合、紙器スリップ防止接着剤３の塗膜によるスリップ防止効果と、荷崩れ防止具１０…１０による横揺れ緩衝作用との相乗効果により、全体としてより一層効果的に段ボール箱Ａのスリップを抑えることができる。なお、この場合にも、先の実施の形態における縦揺れ防止硬化ゴム４…４と下板部材５と介して荷崩れ防止具１０…１０をセットするようにしてもよい。このように構成すれば、縦揺れ防止硬化ゴム４…４により縦揺れについても、振動を吸収し振動エネルギーを減衰することができるのでこのましい。【００３０】  また、収納ラック１′の受板１ａ′上に、直接荷崩れ防止具１０…１０をセットする他、受板１ａ′上に上述した縦揺れ防止硬化ゴム４と下板部材５を置き、そのうえでその四隅に荷崩れ防止具１０を配置し、かつ荷積みしたパレット２を載置するようにしてもよい。斯く構成すれば、先の実施形態の場合と同様硬化ゴム４による縦揺れ防止効果と、スリップ防止接着剤３と荷崩れ防止具１０…１０との相乗効果による横揺れ防止効果とが期待できる。その場合、縦揺れ防止硬化ゴム４と下板部材５とを一体的に固定した構成としてもよい。斯く構成すればその設置が簡単容易にできるのでこのましい。
【図面の簡単な説明】
【００３１】
【図１】  本発明の荷崩れ防止具を自動ラックに適用した正面図である。
【図２】  同要部の平面図である。
【図３】  縦揺れ防止硬化ゴムの一部省略正面図である。
【図４】  同縦揺れ防止硬化ゴムの一部省略平面図である。
【図５】  荷崩れ防止具の底面図である。
【図６】  同荷崩れ防止具の縦断面図である。
【図７】  同荷崩れ防止具の平面図である。
【図８】  荷崩れ防止具の別の使用状態を示す説明図である。
【符号の説明】
【００３２】２          パレット
３          紙器接着剤
４          縦揺れ防止硬化ゴム
５          下板部材
１０        荷崩れ防止具
１１        スラスト玉軸受
１１ａ      ボール
１２        有底円筒体
１２ａ      小径側壁
１３        蓋体
１３ａ      大径側壁
１４        緩衝機構
１６        ばね
【図１】
2010241502.tif 000003
【図２】
2010241502.tif 000004
【図３】
2010241502.tif 000005
【図４】
2010241502.tif 000006
【図５】
2010241502.tif 000007
【図６】
2010241502.tif 000008
【図７】
2010241502.tif 000009
【図８】
2010241502.tif 000010